【手続補正書】
【提出日】平成16年11月25日(2004.11.25)
【手続補正１】
【補正対象書類名】明細書
【補正対象項目名】特許請求の範囲
【補正方法】変更
【補正の内容】
【特許請求の範囲】
【請求項１】
動画像あるいは静止画像からなる映像、または音声付前記映像のいずれかからなるコンテンツを時系列的に取り込み、
前記コンテンツをデータ記録媒体に記録し、
前記コンテンツと任意の第１の時間軸に基づく第１時間情報とを直接または間接に対応させた第１対応情報と、
前記コンテンツに併行して推移する前記コンテンツの随伴情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報とを、
（１）前記データ記録媒体か、
（２）他の任意のデータ記録媒体か、
の少なくともいずれかに記録する、ことを特徴とするデータ記録方法。
【請求項２】
動画像あるいは静止画像からなる映像、または音声付前記映像のいずれかからなるコンテンツを時系列的に取り込み、
前記コンテンツをデータ記録媒体に記録し、
前記コンテンツと任意の時間軸に基づく時間情報とを直接または間接に対応させた第１対応情報と、
前記コンテンツに併行して推移する前記コンテンツの随伴情報と、
前記随伴情報と前記時間情報とを対応させた第２対応情報とを、
（１）前記データ記録媒体か、
（２）他の任意のデータ記録媒体か、
の少なくともいずれかに記録する、ことを特徴とするデータ記録方法。
【請求項３】
前記随伴情報が複数個存在する場合に、ある随伴情報が続く次の随伴情報に至るまでの時間の差を、前記時間情報に基づき演算して記録する構成としたことを特徴とする請求項１または２に記載のデータ記録方法。
【請求項４】
動画像あるいは静止画像からなる映像を、または音声付前記映像のいずれかからなるコンテンツを時系列的に取り込み、
前記コンテンツをデータ記録媒体に記録し、
前記コンテンツとその記録位置とを対応させた第１対応情報と、
前記コンテンツに併行して推移する前記コンテンツの随伴情報と、
前記随伴情報と前記コンテンツの前記記録位置とを対応させた第２対応情報とを、
（１）前記データ記録媒体か、
（２）他の任意のデータ記録媒体か、
の少なくともいずれかに記録する、ことを特徴とするデータ記録方法。
【請求項５】
前記随伴情報が複数個存在する場合に、ある随伴情報が続く次の随伴情報に至るまでの記録位置の差を、前記記録位置に基づき演算して記録する構成としたことを特徴とする請求項４に記載のデータ記録方法。
【請求項６】
前記随伴情報を、時間経過につれて数値が増加する、数値表現による順位適応型情報とする構成としたことを特徴とする請求項１乃至５の何れかに記載のデータ記録方法。
【請求項７】
前記随伴情報を、文字列に基づく文字列表現による意味適応型情報とする構成としたことを特徴とする請求項１乃至５の何れかに記載のデータ記録方法。
【請求項８】
前記随伴情報を、大分類標記と小分類標記の組み合わせで構成し、
前記大分類標記は、時間経過につれて数値が増加する数値表現による順位適応型情報とし、
前記小分類標記は、文字列に基づく文字列表現による意味適応型情報とする、構成としたことを特徴とする請求項１乃至５の何れかに記載のデータ記録方法。
【請求項９】
前記データ記録媒体を、
非着脱式のハード磁気ディスク、
非着脱式の光磁気ディスク、
非着脱式の光ディスク、
非着脱式の半導体メモリ、
着脱式のハード磁気ディスク、
着脱式の光磁気ディスク、
着脱式の光ディスク、
着脱式の半導体メモリ、
着脱式の磁気テープ、
の少なくとも何れか一つを含んで構成したことを特徴とする請求項１乃至９の何れかに記載のデータ記録方法。
【請求項１０】
動画像あるいは静止画像からなる映像、または音声付前記映像の少なくともいずれかからなるコンテンツを時系列的に取り込み処理する素材処理部と、
前記コンテンツと併行して推移する前記コンテンツの随伴情報を取り込み処理する随伴情報処理部と、
少なくとも一つのデータ記録媒体へ少なくとも記録する機構を具備して、
前記コンテンツを前記データ記録媒体に記録し、
前記コンテンツと任意の第１の時間軸に基づく第１時間情報とを直接または間接に対応させた第１対応情報と、
前記随伴情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報とを、
（１）前記データ記録媒体か、
（２）他の任意のデータ記録媒体か、
の少なくとも何れかに記録する記録部と、
を備えることを特徴とするデータ記録システム。
【請求項１１】
動画像あるいは静止画像からなる映像、または音声付前記映像の少なくともいずれかからなるコンテンツを時系列的に取り込み処理する素材処理部と、
前記コンテンツと併行して推移する前記コンテンツの随伴情報を取り込み処理する随伴情報処理部と、
少なくとも一つのデータ記録媒体へ少なくとも記録する機構を具備して、
前記コンテンツを前記データ記録媒体に記録し、
前記コンテンツとその発生時の前記時間情報とを直接または間接に対応させた第１対応情報と、
前記随伴情報と、
前記随伴情報と前記時間情報とを対応させた第２対応情報とを、
（１）前記データ記録媒体か、
（２）他の任意のデータ記録媒体か、
の少なくとも何れかに記録する記録部と、
を備えることを特徴とするデータ記録システム。
【請求項１２】
前記記録部は、前記随伴情報が複数個存在する場合に、ある随伴情報が続く次の随伴情報に至るまでの時間の差を、前記時間情報に基づき演算して記録する構成としたことを特徴とする請求項１０または１１に記載のデータ記録システム。
【請求項１３】
動画像あるいは静止画像からなる映像、または音声付前記映像のいずれかからなるコンテンツを時系列的に取り込み処理する素材処理部と、
前記コンテンツと併行して推移する前記コンテンツの随伴情報を取り込み処理する随伴情報処理部と、
少なくとも一つのデータ記録媒体へ少なくとも記録する機構を具備して、
前記コンテンツをデータ記録媒体に記録し、
前記コンテンツとその記録位置とを対応させた第１対応情報と、
前記随伴情報と、
前記随伴情報と前記ビデオデータの前記記録位置とを対応させた第２対応情報とを、
（１）前記データ記録媒体か、
（２）他の任意のデータ記録媒体か、
の少なくともいずれかに記録する記録部と、
を備えることを特徴とするデータ記録システム。
【請求項１４】
前記記録部は、前記随伴情報が複数個存在する場合に、ある随伴情報が続く次の随伴情報に至るまでの記録位置の差を、前記記録位置に基づき演算して記録する構成としたことを特徴とする請求項１３に記載のデータ記録システム。
【請求項１５】
前記記録部は、前記随伴情報を、時間経過につれて数値が増加する、数値表現による順位適応型情報として記録する構成としたことを特徴とする請求項１０乃至１４の何れかに記載のデータ記録システム。
【請求項１６】
前記記録部は、前記随伴情報を、文字列に基づく文字列表現による意味適応型情報として記録する構成としたことを特徴とする請求項１０乃至１４の何れかに記載のデータ記録システム。
【請求項１７】
前記記録部は、前記随伴情報を、大分類標記と小分類標記の組合せで構成し、
前記大分類標記は、時間経過につれて数値が増加する数値表現による順位適応型情報として記録し、
前記小分類標記は、文字列に基づく文字列表現による意味適応型情報として記録する、構成としたことを特徴とする請求項１０乃至１４の何れかに記載のデータ記録システム。
【請求項１８】
前記データ記録媒体を、
非着脱式のハード磁気ディスク、
非着脱式の光磁気ディスク、
非着脱式の光ディスク、
非着脱式の半導体メモリ、
着脱式のハード磁気ディスク、
着脱式の光磁気ディスク、
着脱式の光ディスク、
着脱式の半導体メモリ、
着脱式の磁気テープ、
の少なくとも何れか一つを含んで構成したことを特徴とする請求項１０乃至１７の何れかに記載のデータ記録システム。
【請求項１９】
動画像あるいは静止画像からなる映像、または音声付前記映像の少なくともいずれかからなり、かつ任意の第１の時間軸による第１時間情報に対応させて別個に記録されているコンテンツに対し、当該コンテンツに併行して時間推移する随伴情報を、任意の第２の時間軸による第２時間情報とともにコンピュータによる読み取りが可能に記録し、
かつ、前記第１の時間軸と前記第２の時間軸の対応情報か、または前記第１時間情報と前記第２時間情報の対応情報をコンピュータによる読み取りが可能に記録したことを特徴とするデータ記録媒体。
【請求項２０】
動画像あるいは静止画像からなる映像、または音声付前記映像の少なくともいずれかからなり、かつ番地付きで別個に記録されているコンテンツの前記番地情報を用い、
前記コンテンツと併行して時間推移する随伴情報を前記番地情報と共にコンピュータによる読み取りが可能に記録したことを特徴とするデータ記録媒体。
【請求項２１】
動画像あるいは静止画像からなる映像、または音声付前記映像の少なくともいずれかからなり、共通の時間情報に基づいて別個に記録されているコンテンツと同じ共通の前記時間情報を適応して、前記コンテンツと併行して時間推移する随伴情報をその発生時の前記共通の時間情報と共にコンピュータによる読み取りが可能に記録したことを特徴とするデータ記録媒体。
【請求項２２】
前記随伴情報に加えて前記コンテンツをコンピュータによる読み取りが可能に記録したことを特徴とする請求項１９乃至２１の何れかに記載のデータ記録媒体。
【手続補正２】
【補正対象書類名】明細書
【補正対象項目名】０００７
【補正方法】変更
【補正の内容】
【０００７】
【課題を解決するための手段】
前記課題を解決するため請求項１に係るデータ記録方法は、動画像あるいは静止画像からなる映像、または音声付前記映像のいずれかからなるコンテンツを時系列的に取り込み、
前記コンテンツをデータ記録媒体に記録し、
前記コンテンツと任意の第１の時間軸に基づく第１時間情報とを直接または間接に対応させた第１対応情報と、
前記コンテンツに併行して推移する前記コンテンツの随伴情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報とを、
（１）前記データ記録媒体か、
（２）他の任意のデータ記録媒体か、
の少なくともいずれかに記録する、ことを特徴とする。
【手続補正３】
【補正対象書類名】明細書
【補正対象項目名】０００８
【補正方法】変更
【補正の内容】
【０００８】
請求項２に係るデータ記録方法は、動画像あるいは静止画像からなる映像、または音声付前記映像のいずれかからなるコンテンツを時系列的に取り込み、
前記コンテンツをデータ記録媒体に記録し、
前記コンテンツと任意の時間軸に基づく時間情報とを直接または間接に対応させた第１対応情報と、
前記コンテンツに併行して推移する前記コンテンツの随伴情報と、
前記随伴情報と前記時間情報とを対応させた第２対応情報とを、
（１）前記データ記録媒体か、
（２）他の任意のデータ記録媒体か、
の少なくともいずれかに記録する、ことを特徴とする。
【手続補正４】
【補正対象書類名】明細書
【補正対象項目名】０００９
【補正方法】変更
【補正の内容】
【０００９】
請求項３に係るデータ記録方法は、請求項１または２に記載のもので、前記随伴情報が複数個存在する場合に、ある随伴情報が続く次の随伴情報に至るまでの時間の差を、前記時間情報に基づき演算して記録する構成としたことを特徴とする。
【手続補正５】
【補正対象書類名】明細書
【補正対象項目名】００１０
【補正方法】変更
【補正の内容】
【００１０】
請求項４に係るデータ記録方法は、動画像あるいは静止画像からなる映像を、または音声付前記映像のいずれかからなるコンテンツを時系列的に取り込み、
前記コンテンツをデータ記録媒体に記録し、
前記コンテンツとその記録位置とを対応させた第１対応情報と、
前記コンテンツに併行して推移する前記コンテンツの随伴情報と、
前記随伴情報と前記コンテンツの前記記録位置とを対応させた第２対応情報とを、
（１）前記データ記録媒体か、
（２）他の任意のデータ記録媒体か、
の少なくともいずれかに記録する、ことを特徴とする。
【手続補正６】
【補正対象書類名】明細書
【補正対象項目名】００１１
【補正方法】変更
【補正の内容】
【００１１】
請求項５に係るデータ記録方法は、請求項４記載のものであって、前記随伴情報が複数個存在する場合に、ある随伴情報が続く次の随伴情報に至るまでの記録位置の差を、前記記録位置に基づき演算して記録する構成としたことを特徴とする。
【手続補正７】
【補正対象書類名】明細書
【補正対象項目名】００１２
【補正方法】変更
【補正の内容】
【００１２】
請求項６に係るデータ記録方法は、請求項１乃至５の何れかに記載のもので、前記随伴情報を、時間経過につれて数値が増加する、数値表現による順位適応型情報とする構成としたことを特徴とする。
【手続補正８】
【補正対象書類名】明細書
【補正対象項目名】００１３
【補正方法】変更
【補正の内容】
【００１３】
請求項７に係るデータ記録方法は、請求項１乃至５の何れかに記載のもので、前記随伴情報を、文字列に基づく文字列表現による意味適応型情報とする構成としたことを特徴とする。
【手続補正９】
【補正対象書類名】明細書
【補正対象項目名】００１４
【補正方法】変更
【補正の内容】
【００１４】
請求項８に係るデータ記録方法は、請求項１乃至５の何れかに記載のもので、前記随伴情報を、大分類標記と小分類標記の組み合わせで構成し、
前記大分類標記は、時間経過につれて数値が増加する数値表現による順位適応型情報とし、
前記小分類標記は、文字列に基づく文字列表現による意味適応型情報とする、構成としたことを特徴とする。
【手続補正１０】
【補正対象書類名】明細書
【補正対象項目名】００１５
【補正方法】変更
【補正の内容】
【００１５】
請求項９に係るデータ記録方法は、請求項１乃至８の何れかに記載のもので、
前記データ記録媒体を、
非着脱式のハード磁気ディスク、
非着脱式の光磁気ディスク、
非着脱式の光ディスク、
非着脱式の半導体メモリ、
着脱式のハード磁気ディスク、
着脱式の光磁気ディスク、
着脱式の光ディスク、
着脱式の半導体メモリ、
着脱式の磁気テープ、
の少なくとも何れか一つを含んで構成したことを特徴とする。
【手続補正１１】
【補正対象書類名】明細書
【補正対象項目名】００１６
【補正方法】変更
【補正の内容】
【００１６】
請求項１０に係るデータ記録システムは、動画像あるいは静止画像からなる映像、または音声付前記映像の少なくともいずれかからなるコンテンツを時系列的に取り込み処理する素材処理部と、
前記コンテンツと併行して推移する前記コンテンツの随伴情報を取り込み処理する随伴情報処理部と、
少なくとも一つのデータ記録媒体へ少なくとも記録する機構を具備して、
前記コンテンツを前記データ記録媒体に記録し、
前記コンテンツと任意の第１の時間軸に基づく第１時間情報とを直接または間接に対応させた第１対応情報と、
前記随伴情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報とを、
（１）前記データ記録媒体か、
（２）他の任意のデータ記録媒体か、
の少なくとも何れかに記録する記録部と、
を備えることを特徴とする。
【手続補正１２】
【補正対象書類名】明細書
【補正対象項目名】００１７
【補正方法】変更
【補正の内容】
【００１７】
請求項１１に係るデータ記録システムは、動画像あるいは静止画像からなる映像、または音声付前記映像の少なくともいずれかからなるコンテンツを時系列的に取り込み処理する素材処理部と、
前記コンテンツと併行して推移する前記コンテンツの随伴情報を取り込み処理する随伴情報処理部と、
少なくとも一つのデータ記録媒体へ少なくとも記録する機構を具備して、
前記コンテンツを前記データ記録媒体に記録し、
前記コンテンツとその発生時の前記時間情報とを直接または間接に対応させた第１対応情報と、
前記随伴情報と、
前記随伴情報と前記時間情報とを対応させた第２対応情報とを、
（１）前記データ記録媒体か、
（２）他の任意のデータ記録媒体か、
の少なくとも何れかに記録する記録部と、
を備えることを特徴とする。
【手続補正１３】
【補正対象書類名】明細書
【補正対象項目名】００１８
【補正方法】変更
【補正の内容】
【００１８】
請求項１２に係るデータ記録システムは、請求項１１記載のものであって、前記記録部は、前記随伴情報が複数個存在する場合に、ある随伴情報が続く次の随伴情報に至るまでの時間の差を、前記時間情報に基づき演算して記録する構成としたことを特徴とする。
【手続補正１４】
【補正対象書類名】明細書
【補正対象項目名】００１９
【補正方法】変更
【補正の内容】
【００１９】
請求項１３に係るデータ記録システムは、動画像あるいは静止画像からなる映像、または音声付前記映像のいずれかからなるコンテンツを時系列的に取り込み処理する素材処理部と、
前記コンテンツと併行して推移する前記コンテンツの随伴情報を取り込み処理する随伴情報処理部と、
少なくとも一つのデータ記録媒体へ少なくとも記録する機構を具備して、
前記コンテンツをデータ記録媒体に記録し、
前記コンテンツとその記録位置とを対応させた第１対応情報と、
前記随伴情報と、
前記随伴情報と前記ビデオデータの前記記録位置とを対応させた第２対応情報とを、
（１）前記データ記録媒体か、
（２）他の任意のデータ記録媒体か、
の少なくともいずれかに記録する記録部と、
を備えることを特徴とするデータ記録システム。
【手続補正１５】
【補正対象書類名】明細書
【補正対象項目名】００２０
【補正方法】変更
【補正の内容】
【００２０】
請求項１４に係るデータ記録システムは、請求項１３記載のもので、前記記録部は、前記随伴情報が複数個存在する場合に、ある随伴情報が続く次の随伴情報に至るまでの記録位置の差を、前記記録位置に基づき演算して記録する構成としたことを特徴とする。
【手続補正１６】
【補正対象書類名】明細書
【補正対象項目名】００２１
【補正方法】変更
【補正の内容】
【００２１】
請求項１５に係るデータ記録システムは、請求項１０乃至１４の何れかに記載のものであって、前記記録部は、前記随伴情報を、時間経過につれて数値が増加する、数値表現による順位適応型情報として記録する構成としたことを特徴とする。
【手続補正１７】
【補正対象書類名】明細書
【補正対象項目名】００２２
【補正方法】変更
【補正の内容】
【００２２】
請求項１６に係るデータ記録システムは、請求項１０乃至１４の何れかに記載のものであって、前記記録部は、前記随伴情報を、文字列に基づく文字列表現による意味適応型情報として記録する構成としたことを特徴とする。
【手続補正１８】
【補正対象書類名】明細書
【補正対象項目名】００２３
【補正方法】変更
【補正の内容】
【００２３】
請求項１７に係るデータ記録システムは、請求項１０乃至１４の何れかに記載のものであって、前記記録部は、前記随伴情報を、大分類標記と小分類標記の組合せで構成し、
前記大分類標記は、時間経過につれて数値が増加する数値表現による順位適応型情報として記録し、
前記小分類標記は、文字列に基づく文字列表現による意味適応型情報として記録する、構成としたことを特徴とする。
【手続補正１９】
【補正対象書類名】明細書
【補正対象項目名】００２４
【補正方法】変更
【補正の内容】
【００２４】
請求項１８に係るデータ記録システムは、請求項１０乃至１７の何れかに記載のものであって、前記データ記録媒体を、
非着脱式のハード磁気ディスク、
非着脱式の光磁気ディスク、
非着脱式の光ディスク、
非着脱式の半導体メモリ、
着脱式のハード磁気ディスク、
着脱式の光磁気ディスク、
着脱式の光ディスク、
着脱式の半導体メモリ、
着脱式の磁気テープ、
の少なくとも何れか一つを含んで構成したことを特徴とする。
【手続補正２０】
【補正対象書類名】明細書
【補正対象項目名】００２５
【補正方法】変更
【補正の内容】
【００２５】
請求項１９に係るデータ記録媒体は、動画像あるいは静止画像からなる映像、または音声付前記映像の少なくともいずれかからなり、かつ任意の第１の時間軸による第１時間情報に対応させて別個に記録されているコンテンツに対し、当該コンテンツに併行して時間推移する随伴情報を、任意の第２の時間軸による第２時間情報とともにコンピュータによる読み取りが可能に記録し、
かつ、前記第１の時間軸と前記第２の時間軸の対応情報か、または前記第１時間情報と前記第２時間情報の対応情報をコンピュータによる読み取りが可能に記録したことを特徴とする。
【手続補正２１】
【補正対象書類名】明細書
【補正対象項目名】００２６
【補正方法】変更
【補正の内容】
【００２６】
請求項２０に係るデータ記録媒体は、動画像あるいは静止画像からなる映像、または音声付前記映像の少なくともいずれかからなり、かつ番地付きで別個に記録されているコンテンツの前記番地情報を用い、
前記コンテンツと併行して時間推移する随伴情報を前記番地情報と共にコンピュータによる読み取りが可能に記録したことを特徴とする。
【手続補正２２】
【補正対象書類名】明細書
【補正対象項目名】００２７
【補正方法】変更
【補正の内容】
【００２７】
請求項２１に係るデータ記録媒体は、動画像あるいは静止画像からなる映像、または音声付前記映像の少なくともいずれかからなり、共通の時間情報に基づいて別個に記録されているコンテンツと同じ共通の前記時間情報を適応して、前記コンテンツと併行して時間推移する随伴情報をその発生時の前記共通の時間情報と共にコンピュータによる読み取りが可能に記録したことを特徴とする。
【手続補正２３】
【補正対象書類名】明細書
【補正対象項目名】００２８
【補正方法】変更
【補正の内容】
【００２８】
請求項２２に係るデータ記録媒体は、請求項１９または２１に記載のものであって、前記随伴情報に加えて前記コンテンツをコンピュータによる読み取りが可能に記録したことを特徴とする。